(57)【要約】【課題】  トナーが収容されたトナー容器を装置本体におけるトナー容器取付部に着脱自在に取り付け、トナー容器に設けられた回路基板に、トナー容器取付部に設けられた接続端子を接続させるにあたり、接続端子が変形したりすることなく、接続端子を適切に清掃できるようにする。【解決手段】  装置本体10に設けられたトナー容器取付部30にトナー容器20を着脱自在に取り付け、このトナー容器の装着部21に設けられた回路基板26に、トナー容器取付部に設けられた端子部材32における接続端子321を接続させるにあたり、接続端子をカバーする移動可能なカバー部材332に、接続端子を清掃する清掃部334を設け、接触圧調整手段34により接続端子と清掃部との接触圧を調整し、トナー容器取付部30に取り付けられたトナー容器の移動に伴いカバー部材を移動させて、接続端子を清掃部によって清掃するようにした。【選択図】  図９
2015060153.tif 000002
【特許請求の範囲】
【請求項１】
内部にトナーが収容されたトナー容器が、装置本体に設けられたトナー容器取付部に着脱自在に取り付けられる画像形成装置において、
前記のトナー容器取付部に取り付けられるトナー容器の装着部に、回路基板と、収容されたトナーを排出するトナー排出口とが設けられる一方、前記の装置本体のトナー容器取付部に、前記の回路基板に接続される接続端子が設けられた端子部材と、前記のトナー排出口から排出されるトナーを受け入れるトナー受入口とが設けられると共に、前記の端子部材における接続端子をカバーするカバー部材が移動可能に設けられ、このカバー部材に前記の接続端子を清掃する清掃部が設けられると共に、
前記の接続端子を前記の回路基板及び前記の清掃部側に付勢する付勢手段、及び前記の付勢手段による前記の接続端子と清掃部との接触圧を調整する接触圧調整手段が設けられ、前記のトナー容器が移動されて、トナー容器の装着部におけるトナー排出口とトナー容器取付部におけるトナー受入口とが連通されると共に、前記のカバー部材が移動され、前記の接続端子が前記の清掃部により清掃されて、前記の回路基板に接続されることを特徴とする画像形成装置。
【請求項２】
請求項１に記載の画像形成装置において、前記の接続端子が線バネで構成されている場合に、前記の接触圧調整手段により、接続端子と清掃部との接触圧を弱くすることを特徴とする画像形成装置。
【請求項３】
請求項１又は請求項２に記載の画像形成装置において、前記のカバー部材が前記のトナー受入口の開閉を行うシャッター部材と一体に構成され、トナー受入口がシャッター部材によって閉じられた状態で、前記のカバー部材によって接続端子がカバーされ、シャッター部材が移動されてトナー受入口が開放される際に、前記のカバー部材に設けられた前記の清掃部により前記の接続端子が清掃されて、前記の回路基板に接続されることを特徴とする画像形成装置。
【請求項４】
請求項１〜請求項３の何れか１項に記載の画像形成装置において、前記の接触圧調整手段として、カバー部材と端子部材との間隔を規制するリブを設けたことを特徴とする画像形成装置。
【請求項５】
請求項１〜請求項４の何れか１項に記載の画像形成装置において、前記のトナー容器取付部に、前記のトナー容器の装着部が回動可能に取り付けられ、前記の装着部の回動に伴って、前記のカバー部材が移動されることを特徴とする画像形成装置。
【発明の詳細な説明】
【技術分野】
【０００１】
本発明は、内部にトナーが収容されたトナー容器を、装置本体に設けられたトナー容器取付部に着脱自在に取り付けるようにした複写機、プリンター、ファクシミリ及びこれらの複合機等の画像形成装置に関するものである。特に、トナー容器取付部に取り付けるトナー容器の装着部に設けられた回路基板に、トナー容器取付部に設けられた接続端子を接続させるようにした画像形成装置において、前記の接続端子が回路基板と適切に接触されるように、接続端子を清掃する作業が簡単に行えると共に、接続端子が変形したりすることなく、接続端子が適切に清掃されるようにした点に特徴を有するものである。
【背景技術】
【０００２】
従来から、複写機、プリンター、ファクシミリ及びこれらの複合機等の画像形成装置においては、画像形成により装置本体内におけるトナーの量が減少した場合に、内部にトナーが収容されたトナー容器を、装置本体に設けられたトナー容器取付部に取り付けて、トナー容器から装置本体内にトナーを補給させることが行われている。
【０００３】
また、このようにトナー容器を装置本体に設けられたトナー容器取付部に取り付けて、トナー容器から装置本体内にトナーを補給させるにあたり、特許文献１に示されるように、トナー容器に収容されているトナーの色や適合機種、初期充填量、現在の残量、トナー切れが近いかどうか等の固有情報を記憶させた記憶回路基板等の回路基板をトナー容器に設ける一方、トナー容器取付部に前記の回路基板に接触する接続端子を設け、この接続端子を前記の回路基板に接触させて、トナー容器取付部取り付けられたトナー容器が当該画像形成装置に適合するか等を判断することが行われている。
【０００４】
しかし、特許文献１に示されるものの場合、トナー容器取付部にトナー容器が装着されていない状態では、装置本体の接続端子が露出しているため、トナー等が接続端子に付着し、接続端子と回路基板とが適切に接触されなくなって、接続端子と回路基板との接点不良が生じるおそれがあった。
【０００５】
そして、特許文献２に示されるものにおいては、トナー容器が取り付けられるトナー容器取付部において、トナー容器におけるトナー排出口から排出されるトナーを受け入れるトナー受入口を開閉するシャッター部材を設け、このシャッター部材がトナー受入口を閉塞する位置においては、このシャッター部材によって接続端子が覆われるようにして、トナー受入口を閉塞した状態で、トナー等が接続端子に付着するのを抑制する一方、シャッター部材がトナー受入口を開放する位置においては、接続端子が露出して回路基板と接触されるようにしたものが提案されている。
【０００６】
しかし、特許文献２に示されるものにおいても、シャッター部材がトナー受入口を開放する位置においては接続端子が露出した状態になり、長く使用すると、次第に接続端子にトナー等が付着して汚れ、新しいトナー容器を装着させる場合等に、接続端子と回路基板とが適切に接触されなくなって、接続端子と回路基板との接点不良が生じるという問題があった。
【０００７】
このため、定期的に接続端子を清掃する作業を行うことが必要になり、また接続端子を清掃する際に、静電気によって回路基板が破損したり、接続端子が変形したり、破損したりするという問題があった。
【先行技術文献】
【特許文献】
【０００８】
【特許文献１】特許第４４１２４２１号公報
【特許文献２】特開２０１２−２３０２２１号公報
【発明の開示】
【発明が解決しようとする課題】
【０００９】
本発明は、内部にトナーが収容されたトナー容器を、装置本体に設けられたトナー容器取付部に着脱自在に取り付け、トナー容器に設けられた回路基板に、トナー容器取付部に設けられた接続端子を接続させるようにした画像形成装置における前記のような問題を解決することを課題とするものである。
【００１０】
すなわち、本発明においては、前記のような画像形成装置において、前記の接続端子が回路基板と適切に接触されるように、接続端子を清掃する作業が簡単に行えると共に、接続端子が変形したりすることなく、接続端子が適切に清掃されるようにすることを課題とするものである。
【課題を解決するための手段】
【００１１】
本発明の画像形成装置においては、前記のような課題を解決するため、内部にトナーが収容されたトナー容器が、装置本体に設けられたトナー容器取付部に着脱自在に取り付けられる画像形成装置において、前記のトナー容器取付部に取り付けられるトナー容器の装着部に、回路基板と、収容されたトナーを排出するトナー排出口とが設けられる一方、前記の装置本体のトナー容器取付部に、前記の回路基板に接続される接続端子が設けられた端子部材と、前記のトナー排出口から排出されるトナーを受け入れるトナー受入口とが設けられると共に、前記の端子部材における接続端子をカバーするカバー部材が移動可能に設けられ、このカバー部材に前記の接続端子を清掃する清掃部が設けられると共に、前記の接続端子を前記の回路基板及び前記の清掃部側に付勢する付勢手段、及び前記の付勢手段による前記の接続端子と清掃部との接触圧を調整する接触圧調整手段が設けられ、前記のトナー容器が移動されて、トナー容器の装着部におけるトナー排出口とトナー容器取付部におけるトナー受入口とが連通されると共に、前記のカバー部材が移動され、前記の接続端子が前記の清掃部により清掃されて、前記の回路基板に接続されるようにした。
【００１２】
そして、本発明の画像形成装置において、トナー容器を装置本体に設けられたトナー容器取付部に取り付け、トナー容器の装着部におけるトナー排出口とトナー容器取付部におけるトナー受入口とを連通させるように、トナー容器を移動させると、装置本体のトナー容器取付部に設けられた端子部材をカバーするカバー部材が移動されて、このカバー部材に設けられた清掃部により前記の接続端子が清掃され、このように清掃された接続端子がトナー容器に設けられた回路基板に接続されるようになる。
【００１３】
また、本発明の画像形成装置においては、前記の接続端子と清掃部との接触圧を接触圧調整手段によって調整するようにしたため、接続端子の強度等に応じて、接続端子と清掃部との接触圧を変更させることができ、例えば、前記の接続端子が線バネのように変形しやすいものである場合には、前記の接触圧調整手段により、接続端子と清掃部との接触圧を弱くすることにより、前記の清掃部によって接続端子を清掃する際に、接続端子が変形するのが防止されるようになる。
【００１４】
ここで、本発明の画像形成装置においては、前記のカバー部材を前記のトナー受入口の開閉を行うシャッター部材と一体に構成し、トナー受入口がシャッター部材によって閉じられた状態で、前記のカバー部材によって接続端子がカバーされ、シャッター部材が移動されてトナー受入口が開放される際に、前記のカバー部材に設けられた前記の清掃部により前記の接続端子が清掃されるようにすることができる。このようにすると、シャッター部材によるトナー受入口の開閉に伴って、装置本体のトナー容器取付部に設けられた端子部材をカバーするカバー部材が移動し、このカバー部材に設けられた清掃部により前記の接続端子が清掃され、このように清掃された接続端子が前記の回路基板に接続されるようになる。
【００１５】
また、本発明の画像形成装置において、前記の接触圧調整手段としては、カバー部材と端子部材との間隔を規制するリブを設けるようにすることができる。
【００１６】
また、本発明の画像形成装置においては、前記のトナー容器取付部に、前記のトナー容器の装着部を回動可能に取り付け、前記の装着部の回動に伴って、前記のカバー部材が移動されるようにすることができる。
【発明の効果】
【００１７】
本発明の画像形成装置においては、前記のようにトナー容器を装置本体に設けられたトナー容器取付部に取り付け、トナー容器の装着部におけるトナー排出口とトナー容器取付部におけるトナー受入口とを連通させるように、トナー容器を移動させると、装置本体のトナー容器取付部に設けられた端子部材をカバーするカバー部材が移動されて、このカバー部材に設けられた清掃部により前記の接続端子が清掃され、このように清掃された接続端子がトナー容器に設けられた回路基板に接続されるようになると共に、前記の接触圧調整手段によって接続端子と清掃部との接触圧が適切に調整され、清掃部によって接続端子を清掃する際に、接続端子が変形するのが防止される。
【００１８】
この結果、本発明の画像形成装置においては、トナー容器取付部に設けられた接続端子が、トナー容器に設けられた回路基板と適切に接触されるように、接続端子を清掃する作業が簡単に行えると共に、接続端子が変形したりすることなく、接続端子が適切に清掃されるようになる。
【図面の簡単な説明】
【００１９】
【図１】本発明の一実施形態に係る画像形成装置の概略説明図である。
【図２】前記の実施形態に係る画像形成装置に使用するトナー容器を示した概略斜視図である。
【図３】前記の実施形態に係る画像形成装置に使用するトナー容器の装着部を示した部分拡大斜視図である。
【図４】前記の実施形態に係る画像形成装置において、トナー容器の装着部を取り付けるトナー容器取付部を示し、トナー容器取付部におけるトナー受入口を開口させた状態の概略斜視図である。
【図５】前記の実施形態に係る画像形成装置において、トナー容器取付部に設ける端子部材を示した概略斜視図である。
【図６】前記の実施形態に係る画像形成装置において、トナー容器取付部に移動可能に設けられるシャッター・カバー部材を示した概略斜視図である。
【図７】前記の実施形態に係る画像形成装置において、シャッター・カバー部材におけるシャッター部材によりトナー受入口を閉塞させると共に、シャッター・カバー部材におけるカバー部材により端子部材における接続端子をカバーした状態を示した断面説明図である。
【図８】前記の実施形態の画像形成装置において、トナー容器の装着部をトナー容器取付部に取り付けて、トナー容器の装着部を回転させる状態を示した断面説明図である。
【図９】前記の実施形態に係る画像形成装置において、トナー容器取付部に取り付けられたトナー容器の装着部を回転させて、端子部材における接続端子をカバー部材に設けられた清掃部によって清掃する状態を示した断面説明図である。
【図１０】前記の実施形態の画像形成装置において、端子部材における接続端子を清掃させた状態から、トナー容器の装着部をさらに回転させて、端子部材における接続端子にトナー容器の装着部に設けられた回路基板を接触させた状態を示した断面説明図である。
【図１１】前記の実施形態の画像形成装置において、トナー容器取付部に設ける端子部材の変更例を示した概略斜視図である。
【発明を実施するための最良の形態】
【００２０】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２１】
この実施形態の画像形成装置においては、図１に示すように、その装置本体１０内において、ドラム状になって感光体１１を回転させ、この感光体１１の表面を帯電装置１２によって帯電させた後、この感光体１１の表面にレーザー等を用いた潜像形成装置１３により画像情報に応じた露光を行い、この感光体１１の表面に静電潜像を形成するようにしている。
【００２２】
そして、このように静電潜像が形成された感光体１１と対向する位置に、現像装置１４内に収容されたトナーを含む現像剤を現像ローラー１４ａによって搬送し、感光体１１の表面に形成された静電潜像の部分に現像剤中のトナーを供給して、感光体１１の表面に静電潜像に対応するトナー像を形成するようにしている。
【００２３】
また、このように感光体１１の表面に形成されたトナー像を、ローラー状になった転写装置１５と対向する位置に導くと共に、この感光体１１と転写装置１５との間に記録シートＳを導き、感光体１１の表面に形成されたトナー像を転写装置１５により記録シートＳに転写させるようにしている。
【００２４】
そして、このようにトナー像が転写された記録シートＳを定着装置１６に導き、この定着装置１６によって転写されたトナー像を記録シートＳに定着させる一方、転写後において前記の感光体１１の表面に残留しているトナー等の残留物を、クリーニング装置１７に設けたクリーニング部材１７ａによって感光体１１の表面から除去するようにしている。
【００２５】
また、この実施形態の画像形成装置１０においては、前記の現像装置１４の上に、現像装置１４に補給させるトナーを一時的に貯留させるトナーホッパー１８を設けると共に、このトナーホッパー１８の上に、トナーを収容させた筒状のトナー容器２０の装着部２１を着脱自在に取り付けるトナー容器取付部３０を設けている。
【００２６】
ここで、前記のように現像装置１４内に収容された現像剤中のトナーを感光体１１の表面に形成された静電潜像の部分に供給した結果、この現像装置１４内に収容された現像剤中のトナーの量が減少した場合には、図１に示すように、現像装置１４に設けられたセンサー１４ｂによって現像剤中におけるトナーの量が減少したことを検知し、この検知結果に基づいて、制御装置４０によりトナーホッパー１８に設けられた供給ローラー１８ａを回転させて、トナーホッパー１８内に収容されたトナーを、前記の現像装置１４に補給させるようにしている。
【００２７】
また、このトナーホッパー１８内におけるトナーの量が減少した場合には、これをトナーホッパー１８に設けられたセンサー１８ｂによって検知し、この検知結果に基づいて、制御装置４０により回転装置４１を駆動させ、この回転装置４１により前記のトナー容器２０における容器本体部２３を回転させて、この容器本体部２３の外周に設けられた送り溝２２により、この容器本体部２３内に収容されたトナーを前記の装着部２１に導くようにしている。
【００２８】
そして、このようにトナー容器２０の装着部２１に導かれたトナーを、前記のトナー容器取付部３０を通して、トナーホッパー１８内に供給するようにしている。
【００２９】
ここで、前記のトナー容器２０においては、図２及び図３に示すように、トナーを収容させた容器本体部２３の先端側に、トナー容器取付部３０に取り付ける装着部２１が設けられ、この装着部２１に対して容器本体部２３が自由に回転できるようにして接続されている。
【００３０】
また、このトナー容器２０の装着部２１においては、トナーを排出させるトナー排出口２４が設けられ、この装着部２１の外周側に、前記のトナー排出口２４の開閉を行うシャッター部材２５が、装着部２１の周方向に移動可能に設けられると共に、前記のトナー排出口２４から軸方向にずれた位置に回路基板２６が設けられている。ここで、この回路基板２６には、例えば、トナーの種類、適用可能な画像形成装置の機種、トナーの充填量、製造年月、ロット番号、使用履歴、現在までの消費量と保有トナー量などのデータが記憶されている。
【００３１】
一方、トナー容器２０の装着部２１が取り付けられる前記のトナー容器取付部３０においては、図４に示すように、トナー容器２０の装着部２１に設けられたトナー排出口２４から排出されるトナーを受け入れるトナー受入口３１が設けられると共に、前記のトナー容器２０の装着部２１に設けられた回路基板２６に接続される線バネからなる接続端子３２１がトナー容器取付部３０の内部側に向けて突出された端子部材３２が設けられている。また、前記のトナー受入口３１の開閉を行うシャッター部材３３１と前記の端子部材３２における接続端子３２１をカバーするカバー部材３３２とが一体になったシャッター・カバー部材３３がトナー容器取付部３０の内周に沿って移動可能に設けられている。
【００３２】
そして、前記の端子部材３２は、図５に示すように、前記のトナー容器取付部３０に回動軸３２２を支点に回動可能に設けられ、コイルバネからなる付勢部材３２３により、前記の接続端子３２１がトナー容器取付部３０の内部側、すなわち前記のカバー部材３３２やトナー容器２０に設けられた回路基板２６に向かう方向に付勢されている。
【００３３】
また、前記のシャッター・カバー部材３３においては、図６に示すように、カバー部材３３２の外周面において、シャッター部材３３１がトナー受入口３１を開口させる移動方向下流側の端部に、前記の端子部材３２における接続端子３２１を清掃する清掃部３３４としてフェルトを取り付け、この清掃部３３４に前記の接続端子３２１を適当な接触圧で接触させて、接続端子３２１に付着したトナー等を除去するようにしている。なお、清掃部３３４の構成はこのようなものに限られず、図示していないが、清掃部３３４として凹凸を設けるようにすることも可能である。
【００３４】
ここで、前記の清掃部３３４に前記の接続端子３２１が適当な接触圧で接触されるように、接続端子３２１と清掃部３３４との接触圧を調整する接触圧調整手段３４として、図５に示すように、前記の端子部材３２における回動軸３２２の近くに、カバー部材３３２に向かって山形状に突出された第１調整リブ３４１を設けると共に、図６に示すように、前記のカバー部材３３２におけるシャッター部材３３側の縁部に、前記の第１調整リブ３４１と当接する第２調整リブ３４２とを設け、前記の第１調整リブ３４１と第２調整リブ３４２との高さを調整して、接続端子３２１と清掃部３３４との接触圧を調整するようにしている。また、この実施形態においては、カバー部材３３２における前記の第２調整リブ３４２に案内部３４２ａをカバー部材３３２から突出するように設けている。
【００３５】
さらに、この実施形態においては、図５に示すように、前記の端子部材３２において、前記の第１調整リブ３４１よりも回動軸３２２から離れた位置に、山形状に突出された端子接触圧調整リブ３２４を設け、前記の第１調整リブ３４１と第２調整リブ３４２とが離れた状態で、この端子接触圧調整リブ３２４により、前記の接続端子３２１とトナー容器２０の装着部２１に設けられた回路基板２６との接触圧を調整するようにしている。
【００３６】
ここで、前記のトナー容器２０の装着部２１がトナー容器取付部３０に装着される前の状態では、図７に示すように、前記のシャッター・カバー部材３３におけるシャッター部材３３１により前記のトナー受入口３１が閉塞されると共に、前記のカバー部材３３２により前記の端子部材３２における接続端子３２１がカバーされた状態になっている。
【００３７】
そして、このようにシャッター部材３３１によりトナー受入口３１が閉塞されると共に、カバー部材３３２により端子部材３２における接続端子３２１がカバーされた状態で、このトナー容器取付部３０にトナー容器２０の装着部２１を取り付けるようにする。
【００３８】
そして、このようにトナー容器取付部３０にトナー容器２０の装着部２１を取り付けた後、このトナー容器２０において装着部２１に設けられた前記のトナー排出口２４を閉塞させている前記のシャッター部材２５をトナー容器取付部３０に設けられた当止め部（図示せず）等に当接させ、シャッター部材２５が回転できない状態で、図８に示すように、前記のトナー排出口２４がトナー容器取付部３０に設けられた前記のトナー受入口３１に向かうと共に、前記の回路基板２６が前記の端子部材３２に向かうように、トナー容器２０の装着部２１を回転させ、前記のトナー排出口２４が前記のシャッター部材２５から離れるようにして、このトナー排出口２４をトナー受入口３１に向けて徐々に開口させるようにする。
【００３９】
ここで、前記のようにトナー容器２０の装着部２１を回転させると、この装着部２１の回転に伴なって、トナー容器取付部３０における前記のシャッター・カバー部材３３が押され、図７及び図８に示すように、シャッター・カバー部材３３がトナー容器取付部３０の内周に沿って移動し、このシャッター・カバー部材３３におけるシャッター部材３３１がトナー受入口３１を開口させる方向に移動すると共に、前記の端子部材３２に設けられた前記の第１調整リブ３４１と前記のカバー部材３３２に設けられた第２調整リブ３４２とが当接した状態で、前記のカバー部材３３２の外周面に設けられた前記の清掃部３３４が、端子部材３２における接続端子３２１に向かう方向に移動されるようになる。
【００４０】
ここで、前記のように端子部材３２に設けられた前記の第１調整リブ３４１と前記のカバー部材３３２に設けられた第２調整リブ３４２とが当接した状態で、カバー部材３３２に設けられた清掃部３３４が、端子部材３２における接続端子３２１の位置に導かれる前は、前記の接続端子３２１がカバー部材３３２の外周面に非接触、或いは軽接触の状態になっている。
【００４１】
そして、前記のように回転するトナー容器２０の装着部２１によってシャッター・カバー部材３３が押されて移動し、図９に示すように、前記のカバー部材３３２の外周面に設けられた前記の清掃部３３４が、端子部材３２における接続端子３２１と接触する位置に導かれると、前記の第１調整リブ３４１と第２調整リブ３４２とにより、清掃部３３４と接続端子３２１とが適切な接触圧で接触し、この状態で、前記のカバー部材３３２が移動して、接続端子３２１が清掃部３３４によって適切に清掃されるようになる。
【００４２】
また、このようにカバー部材３３２に設けられた清掃部３３４によって端子部材３２における接続端子３２１を清掃させた後、前記のトナー容器２０の装着部２１をさらに回転させて、シャッター・カバー部材３３を移動させると、図１０に示すように、トナー容器２０の装着部２１に設けられた回路基板２６が端子部材３２の位置に導かれる共に、端子部材３２に設けられた前記の第１調整リブ３４１が、カバー部材３３２に設けられた第２調整リブ３４２における案内部３４２ａに案内されながら、端子部材３２に設けられた第１調整リブ３４１がこの案内部３４２ａから離れ、前記のように清掃された端子部材３２の接続端子３２１が回路基板２６に接触して、端子部材３２における接続端子３２１が回路基板２６に適切に接続されるようになる。なお、端子部材３２における接続端子３２１と回路基板２６との接触圧は、前記の端子接触圧調整リブ３２４をトナー容器取付部３０に設けられた突起（図示せず）等に当接させて調整するようにしている。
【００４３】
そして、このように接続端子３２１と回路基板２６とが接続された状態で、図示していないが、トナー容器２０の装着部２１に設けられた前記のトナー排出口２４と、トナー容器取付部３０に設けられた前記のトナー受入口３１とがそれぞれ開口された状態で連通され、トナー容器２０内に収容されたトナーが、前記のトナー排出口２４からトナー受入口３１を通して前記のトナーホッパー１８内に供給されるようになる。
【００４４】
なお、この実施形態においては、端子部材３２における接続端子３２１に、線バネを用いるようにしたが、接続端子３２１は線バネに限られない。
【００４５】
例えば、図１１に示すように、端子部材３２における接続端子３２１に板バネを用いることもできる。そして、このように接続端子３２１に板バネを用いた場合、接続端子３２１の強度が前記の線バネに比べて高くなるため、前記の第１調整リブ３４１や第２調整リブ３４２の高さを低くして、清掃部３３４と接続端子３２１との接触圧が線バネの場合よりも強くなるようにして、接続端子３２１をより強く清掃することができる。
【００４６】
また、この実施形態においては、トナー容器取付部３０には、シャッター部材３３１とカバー部材３３２とが一体になったシャッター・カバー部材３３を設けるようにしたが、シャッター部材３３１とカバー部材３３２とを分離させて設けることもできる。
【符号の説明】
【００４７】
１０  装置本体
１１  感光体
１２  帯電装置
１３  潜像形成装置
１４  現像装置、１４ａ  現像ローラー、１４ｂ  センサー
１５  転写装置
１６  定着装置
１７  クリーニング装置、１７ａ  クリーニング部材
１８  トナーホッパー、１８ａ  供給ローラー、１８ｂ  センサー
２０  トナー容器
２１  装着部
２２  送り溝
２３  容器本体部
２４  トナー排出口
２５  シャッター部材
２６  回路基板
３０  トナー容器取付部
３１  トナー受入口
３２  端子部材、３２１  接続端子、３２２  回動軸、３２３  付勢部材、３２４  端子接触圧調整リブ
３３  シャッター・カバー部材、３３１  シャッター部材、３３２  カバー部材、３３４  清掃部
３４  接触圧調整手段、３４１  第１調整リブ、３４２  第２調整リブ、３４２ａ  案内部
４０  制御装置
４１  回転装置
Ｓ  記録シート
【図１】
2015060153.tif 000003
【図２】
2015060153.tif 000004
【図３】
2015060153.tif 000005
【図４】
2015060153.tif 000006
【図５】
2015060153.tif 000007
【図６】
2015060153.tif 000008
【図７】
2015060153.tif 000009
【図８】
2015060153.tif 000010
【図９】
2015060153.tif 000011
【図１０】
2015060153.tif 000012
【図１１】
2015060153.tif 000013